(57)【特許請求の範囲】
【請求項１】
電子線照射装置を設置した放射線遮蔽室、該放射線遮蔽室に導通される被滅菌物の搬送コンベア、該搬送コンベアに被滅菌物を乗降させる処理室及び該放射線遮蔽室、該搬送コンベア、該処理室を内部に配置して成る建家から構成され、
前記放射線遮蔽室が、中央部位に電子線照射位置を構成し、該電子線照射位置の周辺に重量物から成る放射線遮蔽部材を構築して成り、
前記放射線遮蔽部材が、前記電子線照射位置を中心にしたすり鉢型に構築されることを特徴とする滅菌無害化施設。
【請求項２】
前記搬送コンベアが、電子線照射位置の前後で屈曲された状態で設置されることを特徴とする請求項１に記載の滅菌無害化施設。
【請求項３】
電子線照射装置を設置した放射線遮蔽室、該放射線遮蔽室に導通される被滅菌物の搬送コンベア、該搬送コンベアに被滅菌物を乗降させる処理室及び該放射線遮蔽室、該搬送コンベア、該処理室を内部に配置して成る建家から構成され、
前記建家が、空調装置を配備して成り、放射線遮蔽室からの排出側にＨＥＰＡフィルター等を装備すると共に放射線遮蔽室の気圧を建家内外部よりも負圧に設定することを特徴とする滅菌無害化施設。
【請求項４】
前記空調装置が、放射線遮蔽室で発生する滅菌された空気の供給を受けることを特徴とする請求項３に記載の滅菌無害化施設。
【発明の詳細な説明】
【０００１】
【発明の属する技術分野】
本発明は、滅菌無害化施設に関し、特に搬入される被滅菌物を電子線照射によって短期間で大量に滅菌できる滅菌無害化施設に関する。
【０００２】
【従来の技術】
人類にとって有害であった炭疽症、天然痘、ペスト、ポツリヌス症等を発生させる各種の細菌は、その脅威を否定しきれないものである。
【０００３】
培養が容易である炭疽菌は、芽胞状態にあると日光や熱、消毒剤に対して極めて強い抵抗力を有しており、天然痘ウイルスやペスト菌においても、人から人への飛沫感染が危惧され、ワクチンや抗生物質の準備がなければ危険な状態に至る。
【０００４】
このために、上記の細菌等を世界的な流通機構である郵便物等に封入させたり、付着させたりして移動させた場合には、世界恐慌にも成りかねない状況も懸念されるところである。
【０００５】
しかるに、これらの感染症を起こす炭疽菌、天然痘ウイルス、ペスト菌、微生物等についての撲滅対策は、現状において準備不足の状況にある。
【０００６】
【発明が解決しようとする課題】
本発明は、上記の状況に鑑みて提案するものであり、郵便物等の世界的な流通機構や日常的な廃棄物等において、炭疽菌、天然痘ウイルス、ペスト菌等の細菌による症状の蔓延が危惧される場合に、対象の郵便物、廃棄物等を電子線照射によって大量かつ迅速に無害化する滅菌無害化施設を提供している。
【０００７】
【課題を解決するための手段】
請求項１に記載の発明である滅菌無害化施設は、電子線照射装置を設置した放射線遮蔽室と、放射線遮蔽室に導通される被滅菌物の搬送コンベア、搬送コンベアに被滅菌物を乗降させる処理室及び放射線遮蔽室、搬送コンベア、処理室を内部に配置して成る建家から構成されており、郵便物、廃棄物等の細菌を電子線照射によって大量かつ迅速に無害化処理している。
【０００８】
また、請求項１に記載の発明である滅菌無害化施設は、放射線遮蔽室が、中央部位に電子線照射位置を構成して電子線照射位置の周辺に重量物から成る放射線遮蔽部材を構築して成ることを特徴としており、上記機能に加えて、電子線を建家内に放射させずに安全に無害化処理している。
【０００９】
さらに、請求項１に記載の発明である滅菌無害化施設は、放射線遮蔽部材を、電子線照射位置を中心にしたすり鉢型に構築することを特徴としており、上記機能に加えて、電子線が建家内に放射しないように遮蔽体で反射、減衰させている。
【００１０】
請求項２に記載の発明である滅菌無害化施設は、請求項１に記載の滅菌無害化施設において、搬送コンベアを、電子線照射位置の前後で屈曲させた状態で設置することを特徴としており、上記機能に加えて、搬送コンベアの開口から電子線が漏洩しないように反射させている。
【００１１】
請求項３に記載の発明である滅菌無害化施設は、電子線照射装置を設置した放射線遮蔽室と、放射線遮蔽室に導通される被滅菌物の搬送コンベア、搬送コンベアに被滅菌物を乗降させる処理室及び放射線遮蔽室、搬送コンベア、処理室を内部に配置して成る建家から構成され、前記建家に空調装置を配備して成り、放射線遮蔽室からの排出側にＨＥＰＡフィルター等を装備すると共に放射線遮蔽室の気圧を建家内外部よりも負圧に設定することを特徴としており、郵便物、廃棄物等の細菌を電子線照射によって大量かつ迅速に無害化処理するとともに、死滅した細菌を外部に飛散させずに除去している。
【００１２】
請求項４に記載の発明である滅菌無害化施設は、請求項３に記載の滅菌無害化施設において、空調装置が、放射線遮蔽室で発生する滅菌された空気の供給を受けることを特徴としており、上記機能に加えて、滅菌されて清浄化された空気を使用している。
【００１３】
【発明の実施の形態】
本発明による滅菌無害化施設は、基本的に、電子線照射装置を設置した放射線遮蔽室と、放射線遮蔽室に導通される被滅菌物の搬送コンベア、搬送コンベアに被滅菌物を乗降させる処理室及び放射線遮蔽室、搬送コンベア、処理室を内部に配置して成る建家から構成されており、郵便物、廃棄物等の細菌を電子線照射によって大量かつ迅速に無害化処理している。
以下に、本発明による滅菌無害化施設の実施の形態を図面に基づいて詳細に説明する。
【００１４】
尚、本実施の形態では、被滅菌物として郵便物を対象とし、封入もしくは付着している細菌の例として炭疽菌を対象にしているが、本発明はこの実施の形態に何ら限定されるものでない。
【００１５】
図１は、本発明による滅菌無害化施設の実施の形態を示しており、平面図（ａ）と図１（ａ）を（ｂ）−（ｂ）矢視した側断面図（ｂ）で表現している。
【００１６】
図において、本発明による滅菌無害化施設１は、電子線照射装置２を設置した放射線遮蔽室３、放射線遮蔽室３に導通される被滅菌物の搬送コンベア４、被滅菌の郵便物を袋から出して搬送コンベア４に乗せる前処理室５と滅菌済みの郵便物を搬送コンベア４から降ろす検収室６と、これらの放射線遮蔽室３、搬送コンベア４、前処理室５、検収室６を内部に配置している建家７とから構成されている。
【００１７】
電子線照射装置２を設置した放射線遮蔽室３は、後述する厳密な放射線遮蔽構造を採用しており、本実施の形態では、「組換えＤＮＡ実験指針」等で定められた「物理的封じ込め」のレベルに関して、Ｐ２の管理レベルで対処している。
【００１８】
又、電子線照射装置２は、隣室の機械室８から搬送コンベア４の運転制御と共に操作されており、細菌等の被害は完全に回避されている。
【００１９】
搬送コンベア４は、金属製に構成されながら毎分２０ｃｍ程度の低速で循環しており、前処理室５から放射線遮蔽室３の電子線照射位置を斜めに経由して検収室６に至り、再び前処理室５に帰る循環経路を構成している。
【００２０】
これによって、前処理室５で梱包袋から解かれた郵便物は、搬送コンベア４に１５ｃｍないし２０ｃｍの厚さで積み込まれて、放射線遮蔽室３に入り、放射線遮蔽室３から出た滅菌済みの郵便物は、検収室６で搬送コンベア４から降ろされる。
【００２１】
前処理室５には、トラック９で運ばれてきた４〜６ｔ／日の郵便物が、ストックヤード１０を経由しながら前室Ａ１１を通って運び込まれているが、前室Ａ１１の前後に配置されている各開閉扉１２、１２’は、互いに連携状態を構成されており、両開閉扉１２、１２’が同時に開放されることはないので、建家７の内部から細菌が外部に流出することがない。
【００２２】
これらの機構は、検収室６に続いている前室Ａ１３においても同様であり、滅菌済みの郵便物を建家７の内部から外部の配達センター等に移動させるに際しても、両開閉扉１２、１２’が同時に開放されることがないので、建家７の内部から細菌を外部に流出させることはない。
【００２３】
又、郵便物を取り扱う作業員は、更衣室１４において防護服に着替えた後に、前室Ａ１５においてエア−・シャワー１９を浴びてから前処理室５に入室し、退室に際しても同様にエア−・シャワー１９を浴びてから更衣室１４に帰るものであるから、建家７の内部で付着したかもしれない細菌もエアーシャワーに紫外線照射設備を設けることで完全に除去されることになり、外部に流出することはない。
【００２４】
本実施の形態では、前処理室５に付属させて前室１６を配置して汚染物の排出を行っている。前室１６には、滅菌室１７が装備されているので、細菌で汚染されている衣服や梱包袋等を外部に廃棄するに際しても、前処理室５と外部との連絡は遮断された状態にあり、細菌等は厳重に処理されることになる。
【００２５】
又、前室１６における汚染物の排出に際しては、汚染された衣服や梱包袋等を過酸化水素の蒸気等の化学的処理によって処理することも可能であり、郵便物に対する滅菌無害化処理の完全化を図っている。
【００２６】
以上の移動フローを、図２において作業員、郵便物及び汚染物に分けて表示している。
【００２７】
作業員１８は、更衣室１４において防護服に着替えた後に、前室Ａ１５においてエア−・シャワー１９を浴びてから前処理室５に入室しており、郵便物２０は、トラック９で運ばれてストックヤード１０を経由しながら前室Ａ１１を通って前処理室５に運び込まれる。
【００２８】
前処理室５で梱包袋から解かれた郵便物２０は、搬送コンベア４に載置されて放射線遮蔽室３を運び込まれる。搬送コンベア４で電子照射を浴びた郵便物は、放射線遮蔽室３から運び出されて検収室６に至り、次いで、前室Ａ１３を経由して外部の仕分けセンター２１へ向かって運送されている。
【００２９】
又、汚染物２２は、前室１６において、装備されている滅菌室１７を通してから外部２３に廃棄されるものであり、前処理室５と外部２３との連絡は遮断された状態にある。
【００３０】
図３は、放射線遮蔽室の電子線照射位置に設置する遮蔽部材の斜視図であり、配置した電子線照射装置と搬送コンベアとの関係も示している。又、図４は、遮蔽部材の概要図であり、平断面図（ａ）と側断面図（ｂ）で示している。
【００３１】
図３の斜視図が示すように、電子線照射装置２は、放射線遮蔽室３に設置する遮蔽部材２５の中央部位に垂下する形態で配置されており、電子線が照射されるスキャンホーン２４は、周辺に積み上げられてすり鉢型に構築されている遮蔽部材２５によって、電子線が放射線遮蔽室３から漏洩しないように囲まれている。
【００３２】
スキャンホーン２４から照射される電子線は、搬送コンベア４上の郵便物に向って放出されており、搬送コンベア４上に所定の積み上げ厚さ１５ｃｍ〜２０ｃｍで載荷されている郵便物の全域に亘って滅菌作用を発揮させている。
【００３３】
電子線照射装置２の滅菌効果は、加速器から照射される電子線が、細菌のＤＮＡに直接的に損傷を与えるばかりでなく、電子線によってラジカル化した水分子がＤＮＡに損傷を与えるという間接的な機能も有しており、郵便物に炭疽菌等が付着している場合には、確実に滅菌することになる。
【００３４】
特に、電子線は、高い透過力が特長であって電子線が郵便物の表面から内部に進むにつれて散乱電子の寄与によってその線量を増加させる優位性を発揮していることから、信頼性の高い滅菌作用を期待できるものであり、その他にも以下のような特徴を備えている。
【００３５】
▲１▼  透過性によって対象物の形状に関係がなく、包装後であっても滅菌できる。
▲２▼  最も短時間で滅菌できる。
▲３▼  大量の処理が出来る。
▲４▼  対象物の前処理・後処理が不要。
▲５▼  対象物における温度変化が少ない。
▲６▼  稼働停止が迅速なので安全性に優れている。
【００３６】
図４は、放射線遮蔽室に設置する遮蔽部材を詳細に説明するための、側断面図（ｂ）を（ａ）−（ａ）矢視した平断面図（ａ）と平断面図（ａ）を（ｂ）−（ｂ）矢視した側断面図（ｂ）である。
【００３７】
放射線遮蔽室の電子線照射位置に設置される遮蔽部材２５は、鉛、鉄等の重量物から構成されたブロック２６を積み上げることで、電子線照射装置から照射される電子線が遮蔽されるように構築されている。
【００３８】
このために、遮蔽部材２５は、電子線照射位置を中心にしてほぼ正方形２７に構成されており、外側の対峙する２面は、コンクリート壁２８によって補強されると共に、その内面構造２９は、図示のように電子線照射位置に設定される中央部を底辺３０にしたすり鉢型に形成されている。
【００３９】
遮蔽部材２５は、半地下状に埋設されており、前処理室５と検収室６とに導通されている搬送コンベア４が、コンクリート壁２８側から遮蔽部材２５を通過して、すり鉢型の底辺３０に傾斜状に導かれている。
【００４０】
即ち、搬送コンベア４は、前処理室５側のコンクリート壁２８に入ると共に、遮蔽部材２５の内部において所定の角度で曲折しながら、すり鉢型の底辺３０に形成されている空隙３１に導かれる。次いで、電子線照射装置からの照射の中心位置を通った搬送コンベア４は、再び遮蔽部材２５の内部に入り、所定の角度で曲折しながら反対側のコンクリート壁２８から検収室６側に出ている。
【００４１】
これによって、電子線照射装置からの照射電子線は、遮蔽部材２５の内部から外部に直線状に伝播することがなく、遮蔽部材２５の内壁ブロック２６に反射することで、照射電子線の外部への漏洩は、確実に防止されている。
【００４２】
建家７は、放射線遮蔽室３、搬送コンベア４及び前処理室５と検収室６を内部に配置して、滅菌無害化施設１を構成している。本実施の形態における放射線遮蔽室３と建家７とは、打放しコンクリートで構築しているが、建家７に関しては鉄骨製にすることも可能であり、場合によっては、プレハブ化することで施工コストを低減させることも出来るものである。
【００４３】
滅菌無害化施設１の建家７には、図５に概要的に示すような空調装置３２を配備しており、空調装置３２は、放射線遮蔽室３に給排気する遮蔽室空調装置３３と前処理室５と検収室６に給排気する処理室空調装置３４とから構成されている。
【００４４】
遮蔽室空調装置３３は、放射線遮蔽室３からの排出側にＨＥＰＡフィルター３５等を装備すると共に、空調装置の排出口には加熱装置が装備されており、廃棄空気を高温状態に形成することで細菌類を完全に除去している。
【００４５】
又、遮蔽室空調装置３３から給排気されている放射線遮蔽室３は、処理室空調装置３４から給排気されている前処理室５と検収室６との間に気圧差を設けており、放射線遮蔽室３の気圧を前処理室５と検収室６よりも負圧に設定している。
【００４６】
従って、放射線遮蔽室３には、前処理室５と検収室６とから常に気流が形成されており、死滅細菌を含めた細菌等は、放射線遮蔽室３の外部に飛散されずにＨＥＰＡフィルター３５等によって除去されることになる。
【００４７】
同様に、前処理室５と検収室６との間にも気圧差が設けられており、細菌の付着している郵便物が存在することを懸念する必要のある前処理室５側から検収室６に気流が発生しないように、検収室６の気圧は前処理室５の気圧よりも常に高圧状態に設定している。
【００４８】
さらに、遮蔽室空調装置は、図６に示す他の実施の形態も採用することが出来る。
【００４９】
図６は、他の実施の形態を示すものであり、放射線遮蔽室３には図示のように遮蔽部材２５が設置されている。上述したようにその内面構造２９は、すり鉢型であってその底辺３０には空隙３１が形成されている。
【００５０】
空隙３１に存在すると共に、搬送コンベア４に追随して循環されている空気は、放射線遮蔽室３に設けた電子線照射装置２からの電子線によって照射されることで、空気中の細菌を滅菌化している。
【００５１】
しかるに、この滅菌化工程にあっては、電子線によって照射されることで空気中の細菌が除かれると同時に、空気中にオゾンの発生を招来するものであり、空気の浄化と共に不要のオゾンが存在することになる。
【００５２】
このために、本実施の形態では、放射線遮蔽室で発生する滅菌された空気の供給をダクト３６の設置によって積極的に受けながら、遮蔽室空調装置３７においてオゾンを活性炭等によって除去するものであり、遮蔽室空調装置３７からは、滅菌され清浄化されると同時にオゾン害の無い空気を排出しているものである。又、本発明による滅菌無害化施設は、他の実施の形態でも構成することができる。
【００５３】
本実施の形態は、施設の設備構成を必要最低限に制限することで、施設を簡素に構成するものであり、滅菌無害化施設としての所定の性能を確保しながら工期短縮とコスト低減とを図った例である。
【００５４】
図７は、本発明による滅菌無害化施設における他の実施形態を示しており、平面図（ａ）と図７（ａ）を（ｂ）−（ｂ）矢視した側断面図（ｂ）で表現している。
【００５５】
図示のように、本実施の形態による滅菌無害化施設４０は、電子線照射装置２を設置した放射線遮蔽室３、放射線遮蔽室３に導通される被滅菌物の搬送コンベア４、被滅菌の郵便物を袋から出して搬送コンベア４に乗せる前処理室５と滅菌済みの郵便物を搬送コンベア４から降ろす検収室６とこれらに付属している機械室８、前室Ａ１１、１３及び前室Ａ１５が付属している更衣室１４を装備している点は、上記実施の形態と同様であるが、前処理室５、検収室６等に付属している点に関しては、建家４１としての構成を異にしている。
【００５６】
即ち、本実施の形態においては、トラックで運ばれてくる郵便物が、ストックヤードでなく入荷室４２で受け取られており、前室Ａ１１の前後に配置されて連携状態にある各開閉扉１２、１２’の開閉状態によって、建家４１の内部から細菌が外部に流出することがないように構成されている。
【００５７】
同様に、検収室６に続いている前室Ａ１３では、両開閉扉１２、１２’が同時に開放されることがないように連携されているので、滅菌済みの郵便物を建家４１の内部から外部に搬出する出荷室４３間では、建家４１の内部から細菌を外部に流出させることはない。
【００５８】
以上の構成は、当然に「組換えＤＮＡ実験指針」等で定められた「物理的封じ込め」のレベルに関して、Ｐ２の管理レベルで対処しているものであり、細菌等の被害は完全に回避されている。
【００５９】
以上、本発明を実施の形態に基づいて詳細に説明してきたが、本発明による滅菌無害化施設は、上記実施の形態に何ら限定されるものでなく、対象にする被無菌化処理物や、細菌等に関して、本発明の趣旨を逸脱しない範囲において、出願時において既に公知のものを適用することによる種々の変更が可能であることは、当然のことである。
【００６０】
【発明の効果】
請求項１に記載の滅菌無害化施設は、電子線照射装置を設置した放射線遮蔽室と、放射線遮蔽室に導通される被滅菌物の搬送コンベアと、搬送コンベアに被滅菌物を乗降させる処理室及び放射線遮蔽室、搬送コンベア、処理室を内部に配置して成る建家から構成されているので、郵便物、廃棄物等の細菌を電子線照射によって大量かつ迅速に無害化処理する効果を奏している。
【００６１】
また、請求項１に記載の滅菌無害化施設は、放射線遮蔽室が、中央部位に電子線照射位置を構成して電子線照射位置の周辺に重量物から成る放射線遮蔽部材を構築して成ることを特徴としているので、上記効果に加えて、電子線を建家内に放射させずに安全に無害化処理する効果を奏している。
【００６２】
さらに、請求項１に記載の滅菌無害化施設は、放射線遮蔽部材を、電子線照射位置を中心にしたすり鉢型に構築することを特徴としているので、上記効果に加えて、電子線が建家内に放射しないように遮蔽体で反射する効果を奏している。
【００６３】
請求項２に記載の滅菌無害化施設は、請求項１に記載の滅菌無害化施設において、搬送コンベアを、電子線照射位置の前後で屈曲させた状態で設置することを特徴としているので、上記効果に加えて、搬送コンベアの開口から電子線が漏洩しないように反射させる効果を奏している。
【００６４】
請求項３に記載の滅菌無害化施設は、電子線照射装置を設置した放射線遮蔽室と、放射線遮蔽室に導通される被滅菌物の搬送コンベアと、搬送コンベアに被滅菌物を乗降させる処理室及び放射線遮蔽室、搬送コンベア、処理室を内部に配置して成る建家から構成され、建家に空調装置を配備して成り、放射線遮蔽室からの排出側にＨＥＰＡフィルター等を装備すると共に放射線遮蔽室の気圧を建家内外部よりも負圧に設定することを特徴としているので、郵便物、廃棄物等の細菌を電子線照射によって大量かつ迅速に無害化処理するとともに、死滅した細菌を外部に飛散させずに除去する効果を奏している。
【００６５】
請求項４に記載の滅菌無害化施設は、請求項３に記載の滅菌無害化施設において、空調装置が、放射線遮蔽室で発生する滅菌された空気の供給を受けることを特徴としているので、上記効果に加えて、滅菌されながら清浄化された空気を使用できる効果を奏している。
【図面の簡単な説明】
【  図１】本発明による滅菌無害化施設の実施の形態図
【  図２】本発明による滅菌無害化施設の移動フロー図
【  図３】電子線遮蔽室に設ける遮蔽部材の斜視図
【  図４】遮蔽部材の実施の形態図
【  図５】滅菌無害化施設に設ける空調装置の実施の形態図
【  図６】滅菌無害化施設に設ける空調装置における他の実施形態図
【  図７】本発明による滅菌無害化施設の他の実施形態図
【符号の説明】
１、４０  滅菌無害化施設、  ２  電子線照射装置、  ３  放射線遮蔽室、  ４  搬送コンベア、  ５  前処理室、  ６  検収室、  ７、４１  建家、  ８  機械室、  ９  トラック、  １０  ストックヤード、  １１、１３、１５  前室Ａ、  １２、１２'  開閉扉、  １４  更衣室、  １６  前室、  １７  滅菌室、  １８  作業員、  １９  エアー・シャワー、  ２０  郵便物、  ２１  仕分けセンター、  ２２  汚染物、  ２３  外部、  ２４  スキャンホーン、  ２５  遮蔽部材、  ２６  ブロック、  ２７  正方形、  ２８  コンクリート壁、  ２９  内面構造、  ３０  底辺、  ３１  空隙、  ３２  空調装置、  ３３、３７  遮蔽室空調装置（オゾン処理設備を含む）、  ３４  処理室空調装置、  ３５  ＨＥＰＡフィルター、  ３６  ダクト、  ４２  入荷室、  ４３  出荷室
【図１】
0003875550.tif 000002
【図２】
0003875550.tif 000003
【図３】
0003875550.tif 000004
【図４】
0003875550.tif 000005
【図５】
0003875550.tif 000006
【図６】
0003875550.tif 000007
【図７】
0003875550.tif 000008